(57)【要約】【課題】顧客の会計待ちを軽減する行動を店員に指示する報知を行うにあたり、報知のタイミングの最適化を図り、不要な報知を減らすことができるようにする。【解決手段】店舗内を撮影した映像に基づいて、顧客の会計待ちを軽減するように店舗での会計業務を支援する会計業務支援装置を、レジ装置６，７での会計を待つ顧客が滞在する会計待ちエリアを撮影した映像に基づいて、会計を待つ顧客の状態を検知する会計待ち状態検知部４１と、店舗内を撮影した映像に基づいて、店舗内に滞在する人物の状態を検知する店内人物状態検知部４２と、会計待ち状態検知部の検知結果および店内人物状態検知部の検知結果に基づいて、顧客の会計待ちを軽減する行動を指示する報知の可否を判定する報知判定部４５と、この報知判定部の判定結果に基づいて報知を行う報知部４６と、を備えたものとする。【選択図】図３
2015148918.tif 000002
【特許請求の範囲】
【請求項１】
店舗内を撮影した映像に基づいて、顧客の会計待ちを軽減するように店舗での会計業務を支援する会計業務支援装置であって、
レジ装置での会計を待つ顧客が滞在する会計待ちエリアを撮影した映像に基づいて、会計を待つ顧客の状態を検知する会計待ち状態検知部と、
店舗内を撮影した映像に基づいて、店舗内に滞在する人物の状態を検知する店内人物状態検知部と、
前記会計待ち状態検知部の検知結果および前記店内人物状態検知部の検知結果に基づいて、顧客の会計待ちを軽減する行動を指示する報知の可否を判定する報知判定部と、
この報知判定部の判定結果に基づいて、前記報知を行う報知部と、
を備えたことを特徴とする会計業務支援装置。
【請求項２】
店舗内を撮影した映像に基づいて、店舗内に滞在する店員の状態を検知する店員状態検知部と、
前記レジ装置の状態を検知するレジ装置状態検知部と、
をさらに備え、
前記報知判定部は、
前記店員状態検知部の検知結果および前記レジ装置状態検知部の検知結果に基づいて、新たに前記レジ装置を稼働させることができるものと判断される場合には、
前記レジ装置の稼働を指示する報知を行うものと判定することを特徴とする請求項１に記載の会計業務支援装置。
【請求項３】
前記報知判定部は、
前記会計待ち状態検知部により、会計待ちの顧客が多い状態と検知され、
かつ、前記店内人物状態検知部により、店舗内が混雑していない状態と検知された場合には、
前記報知を行わないものと判定することを特徴とする請求項１または請求項２に記載の会計業務支援装置。
【請求項４】
前記店舗には、有人レジ装置および無人レジ装置が設置され、
前記報知判定部は、
前記会計待ち状態検知部により、前記有人レジ装置において会計待ちの顧客が多い状態と検知された場合には、
前記有人レジ装置での会計を待つ顧客に前記無人レジ装置の利用を勧める案内を指示する報知を行うものと判定することを特徴とする請求項１から請求項３のいずれかに記載の会計業務支援装置。
【請求項５】
店舗内を撮影した映像に基づいて、店舗内に滞在する店員の状態を検知する店員状態検知部と、
少なくとも前記有人レジ装置の状態を検知するレジ装置状態検知部と、
をさらに備え、
前記報知判定部は、
前記会計待ち状態検知部により、前記有人レジ装置において会計待ちの顧客が多い状態と検知され、
かつ、前記店員状態検知部の検知結果および前記レジ装置状態検知部の検知結果に基づいて、新たに前記有人レジ装置を稼働させることができないものと判断される場合には、
前記有人レジ装置での会計を待つ顧客に前記無人レジ装置の利用を勧める案内を指示する報知を行うものと判定し、
新たに前記有人レジ装置を稼働させることができるものと判断される場合には、
前記有人レジ装置の稼働を指示する報知を行うものと判定することを特徴とする請求項４に記載の会計業務支援装置。
【請求項６】
店舗内を撮影した映像に基づいて、店舗内に滞在する店員の状態を検知する店員状態検知部と、
前記レジ装置の状態を検知するレジ装置状態検知部と、
をさらに備え、
前記報知判定部は、
前記会計待ち状態検知部により、会計待ちの顧客が多い状態と検知され、
かつ、前記店内人物状態検知部により、店内が混雑している状態と検知され、
かつ、前記店員状態検知部により、会計作業に参加可能な店員が存在する状態と検知され、
かつ、前記レジ装置状態検知部により、全ての前記レジ装置が既に稼働している状態と検知された場合には、
前記レジ装置での会計作業の応援を指示する報知を行うものと判定することを特徴とする請求項１から請求項５のいずれかに記載の会計業務支援装置。
【請求項７】
店舗内を撮影した映像に基づいて、店舗内に滞在する店員の状態を検知する店員状態検知部をさらに備え、
前記報知判定部は、
前記会計待ち状態検知部により、会計待ちの顧客が少ない状態と検知され、
かつ、前記店内人物状態検知部により、店内が混雑している状態と検知され、
かつ、前記店員状態検知部により、会計作業に参加可能な店員が存在する状態と検知された場合には、
店員が会計作業を行う会計作業エリアへの集合を指示する報知を行うものと判定することを特徴とする請求項１から請求項６のいずれかに記載の会計業務支援装置。
【請求項８】
前記報知部で行われた前記報知に関する情報を蓄積する情報蓄積部と、
この情報蓄積部に蓄積された情報に基づいて、前記報知の発生状況に関する集計結果を取得する集計部と、
この集計部で取得した前記集計結果に基づいて、前記報知の発生状況に関する表示情報を生成する表示情報生成部と、
をさらに備えたことを特徴とする請求項１から請求項７のいずれかに記載の会計業務支援装置。
【請求項９】
前記会計待ち状態検知部で取得した検知時刻ごとの会計待ち状態に関する情報、前記店内人物状態検知部で取得した検知時刻ごとの店内人物状態に関する情報、および前記報知部で行われた前記報知に関する情報を蓄積する情報蓄積部と、
この情報蓄積部に蓄積された情報に基づいて、前記会計待ち顧客状態の時間的な推移状況、前記店内人物状態の時間的な推移状況および前記報知の発生状況を統合した表示情報を生成する表示情報生成部と、
をさらに備えたことを特徴とする請求項１から請求項８のいずれかに記載の会計業務支援装置。
【請求項１０】
店舗内を撮影した映像に基づいて、顧客の会計待ちを軽減するように店舗での会計業務を支援する会計業務支援システムであって、
店舗内を撮影するカメラと、
複数の情報処理装置と、
を有し、
前記複数の情報処理装置のいずれかが、
レジ装置での会計を待つ顧客が滞在する会計待ちエリアを撮影した映像に基づいて、会計を待つ顧客の状態を検知する会計待ち状態検知部と、
店舗内を撮影した映像に基づいて、店舗内に滞在する人物の状態を検知する店内人物状態検知部と、
前記会計待ち状態検知部の検知結果および前記店内人物状態検知部の検知結果に基づいて、顧客の会計待ちを軽減する行動を指示する報知の可否を判定する報知判定部と、
この報知判定部の判定結果に基づいて、前記報知を行う報知部と、
を備えたことを特徴とする会計業務支援システム。
【請求項１１】
店舗内を撮影した映像に基づいて、顧客の会計待ちを軽減するように店舗での会計業務を支援する処理を情報処理装置に行わせる会計業務支援方法であって、
レジ装置での会計を待つ顧客が滞在する会計待ちエリアを撮影した映像に基づいて、会計を待つ顧客の状態を検知するステップと、
店舗内を撮影した映像に基づいて、店舗内に滞在する人物の状態を検知するステップと、
前記会計を待つ顧客の状態を検知するステップの検知結果および前記店舗内に滞在する人物の状態を検知するステップの検知結果に基づいて、顧客の会計待ちを軽減する行動を指示する報知の可否を判定するステップと、
このステップの判定結果に基づいて、前記報知を行うステップと、
を有することを特徴とする会計業務支援方法。
【発明の詳細な説明】
【技術分野】
【０００１】
本発明は、店舗内を撮影した映像に基づいて、顧客の会計待ちを軽減するように店舗での会計業務を支援する会計業務支援装置、会計業務支援システムおよび会計業務支援方法に関するものである。
【背景技術】
【０００２】
コンビニエンスストアなどの店舗においては、レジカウンターで会計を待つ顧客が増加して顧客が長時間待たされることになると、顧客満足度を低下させ、また、販売機会の逸失を招くことになる。このような顧客の会計待ちを軽減するには、店員や店長が店内の状態を常時把握して、顧客の会計待ちを軽減する行動の必要性を適宜に判断する必要があるが、これは店員や店長の大きな負担となることから、顧客の会計待ちを軽減するように店舗での会計業務を支援する技術が望まれる。
【０００３】
このような店舗での会計業務を支援する技術に関連するものとして、従来、店舗に監視カメラやマイクロホンを設置して、監視カメラによる映像やマイクロホンによる音声に基づいて、顧客の状態に関する情報を生成して、その情報を本部の端末に送信する技術が知られている（特許文献１参照）。また、赤外線センサで来店する顧客を検知するとともに、レジ装置から稼働状態に関する情報を取得して、店舗内に滞在する顧客の人数や稼働中のレジ装置の台数に基づいて、不足するレジ装置の台数を求めて、その情報を店舗の端末に送信する技術が知られている（特許文献２参照）。
【先行技術文献】
【特許文献】
【０００４】
【特許文献１】特開２００２−３６６６２１号公報
【特許文献２】特開２００６−２２１３６７号公報
【発明の概要】
【発明が解決しようとする課題】
【０００５】
さて、特許文献１に開示された技術では、店舗内での顧客の状態に関する情報が生成されるため、この情報を見ることで店内の混雑状態などを把握することができるが、顧客の会計待ちを軽減する行動をとるべきかどうか、また、どのような行動をとるべきかの判断は、店員や店長が行うしかなく、店舗での会計業務を十分に支援することができないという問題があった。
【０００６】
また、特許文献２に開示された技術では、不足するレジ装置の台数が報知されるため、これに応じてレジ装置を稼働させることで、顧客の会計待ちを軽減することができるが、報知が必ずしも適切なタイミングで行われないという問題があった。例えば、店内が混雑していても、実際に会計を待つ顧客が少ない場合には、すぐにレジを稼働させる必要はないが、このような場合に報知が行われると、店員が無駄な行動を行うことになる。
【０００７】
本発明は、このような従来技術の問題点を解消するべく案出されたものであり、その主な目的は、顧客の会計待ちを軽減する行動を店員に指示する報知を行うにあたり、報知のタイミングの最適化を図り、不要な報知を減らすことができるように構成された会計業務支援装置、会計業務支援システムおよび会計業務支援方法を提供することにある。
【課題を解決するための手段】
【０００８】
本発明の会計業務支援装置は、店舗内を撮影した映像に基づいて、顧客の会計待ちを軽減するように店舗での会計業務を支援する会計業務支援装置であって、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、前記会計待ち状態検知部の検知結果および前記店内人物状態検知部の検知結果に基づいて、顧客の会計待ちを軽減する行動を指示する報知の可否を判定する報知判定部と、この報知判定部の判定結果に基づいて、前記報知を行う報知部と、を備えた構成とする。
【０００９】
また、本発明の会計業務支援システムは、店舗内を撮影した映像に基づいて、顧客の会計待ちを軽減するように店舗での会計業務を支援する会計業務支援システムであって、店舗内を撮影するカメラと、複数の情報処理装置と、を有し、前記複数の情報処理装置のいずれかが、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、前記会計待ち状態検知部の検知結果および前記店内人物状態検知部の検知結果に基づいて、顧客の会計待ちを軽減する行動を指示する報知の可否を判定する報知判定部と、この報知判定部の判定結果に基づいて、前記報知を行う報知部と、を備えた構成とする。
【００１０】
また、本発明の会計業務支援方法は、店舗内を撮影した映像に基づいて、顧客の会計待ちを軽減するように店舗での会計業務を支援する処理を情報処理装置に行わせる会計業務支援方法であって、レジ装置での会計を待つ顧客が滞在する会計待ちエリアを撮影した映像に基づいて、会計を待つ顧客の状態を検知するステップと、店舗内を撮影した映像に基づいて、店舗内に滞在する人物の状態を検知するステップと、前記会計を待つ顧客の状態を検知するステップの検知結果および前記店舗内に滞在する人物の状態を検知するステップの検知結果に基づいて、顧客の会計待ちを軽減する行動を指示する報知の可否を判定するステップと、このステップの判定結果に基づいて、前記報知を行うステップと、を有する構成とする。
【発明の効果】
【００１１】
本発明によれば、会計を待つ顧客の状態を映像から検知するとともに、店舗内に滞在する人物の状態を映像から検知して、会計を待つ顧客の状態と店舗内に滞在する人物の状態との双方を考慮して、顧客の会計待ちを軽減する行動を店員に指示する報知の可否を判定するため、報知のタイミングの最適化を図り、不要な報知を減らすことができる。
【図面の簡単な説明】
【００１２】
【図１】本実施形態に係る会計業務支援システムの全体構成図
【図２】店舗のレイアウトおよびカメラ１の設置状況を説明する店舗の平面図
【図３】店舗に設置されたＰＣ３の概略構成を示す機能ブロック図
【図４】店舗内に設定される各種のエリアを示す説明図
【図５】報知判定部４５で行われる報知判定処理の概要を説明する説明図
【図６】報知判定部４５で行われる報知判定処理の概要を説明する説明図
【図７】報知判定部４５で行われる報知判定処理の概要を説明する説明図
【図８】報知判定部４５で行われる報知判定処理の手順を説明するフロー図
【図９】報知判定部４５で行われる報知判定処理の手順を説明するフロー図
【図１０】報知判定部４５で行われる報知判定処理の手順を説明するフロー図
【図１１】図６に示したケースＡでの店舗内の状況を説明する説明図
【図１２】図６に示したケースＡでの店舗内の状況を説明する説明図
【図１３】図６に示したケースＡでの店舗内の状況を説明する説明図
【図１４】図６に示したケースＡでの店舗内の状況を説明する説明図
【図１５】図７に示したケースＢでの店舗内の状況を説明する説明図
【図１６】図５に示したケースＣ，Ｄでの店舗内の状況を説明する説明図
【図１７】店舗のモニタ４や本部のモニタ１２に表示される会計作業状況表示画面を示す説明図
【図１８】店舗のモニタ４や本部のモニタ１２に表示される会計作業状況表示画面を示す説明図
【図１９】店舗のモニタ４や本部のモニタ１２に表示される会計作業状況表示画面を示す説明図
【図２０】携帯型端末５に表示される報知画面を示す説明図
【図２１】店舗のモニタ４や本部のモニタ１２に表示される報知状況表示画面を示す説明図
【図２２】本実施形態に係る会計業務支援システムの変形例における店舗内の状況を説明する説明図
【図２３】本実施形態に係る会計業務支援システムの変形例における店舗内の状況を説明する説明図
【発明を実施するための形態】
【００１３】
前記課題を解決するためになされた第１の発明は、店舗内を撮影した映像に基づいて、顧客の会計待ちを軽減するように店舗での会計業務を支援する会計業務支援装置であって、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、前記会計待ち状態検知部の検知結果および前記店内人物状態検知部の検知結果に基づいて、顧客の会計待ちを軽減する行動を指示する報知の可否を判定する報知判定部と、この報知判定部の判定結果に基づいて、前記報知を行う報知部と、を備えた構成とする。
【００１４】
これによると、会計を待つ顧客の状態を映像から検知するとともに、店舗内に滞在する人物の状態を映像から検知して、会計を待つ顧客の状態と店舗内に滞在する人物の状態との双方を考慮して、顧客の会計待ちを軽減する行動を店員に指示する報知の可否を判定するため、報知のタイミングの最適化を図り、不要な報知を減らすことができる。
【００１５】
また、第２の発明は、店舗内を撮影した映像に基づいて、店舗内に滞在する店員の状態を検知する店員状態検知部と、前記レジ装置の状態を検知するレジ装置状態検知部と、をさらに備え、前記報知判定部は、前記店員状態検知部の検知結果および前記レジ装置状態検知部の検知結果に基づいて、新たに前記レジ装置を稼働させることができるものと判断される場合には、前記レジ装置の稼働を指示する報知を行うものと判定する構成とする。
【００１６】
これによると、不要な報知を減らすことができる。すなわち、新たにレジ装置を稼働させることができない場合に、レジ装置の稼働を指示する報知を行っても、店員に無駄な行動を行わせるだけであり、新たにレジ装置を稼働させることができる場合に、レジ装置の稼働を指示する報知を行うようにすることで、店員に無駄な行動を行わせることを避けることができる。
【００１７】
ここで、報知判定部は、店員状態検知部により、新たに会計作業に参加可能な店員が存在する状態と検知され、かつ、レジ装置状態検知部により、停止中のレジ装置が存在する状態と検知された場合に、新たにレジ装置を稼働させることができるものと判断するようにすればよい。
【００１８】
また、第３の発明は、前記報知判定部は、前記会計待ち状態検知部により、会計待ちの顧客が多い状態と検知され、かつ、前記店内人物状態検知部により、店舗内が混雑していない状態と検知された場合には、前記報知を行わないものと判定する構成とする。
【００１９】
これによると、不要な報知を減らすことができる。すなわち、会計待ちの顧客が多い状態でも、店内が混雑していない状態では、じきに会計待ちの顧客が減ることが予測され、このような場合に顧客の会計待ちを軽減する行動を行っても無駄になる可能性が高く、このような場合には報知を行わないようにすることで、店員に無駄な行動を行わせることを避けることができる。
【００２０】
また、第４の発明は、前記店舗には、有人レジ装置および無人レジ装置が設置され、前記報知判定部は、前記会計待ち状態検知部により、前記有人レジ装置において会計待ちの顧客が多い状態と検知された場合には、前記有人レジ装置での会計を待つ顧客に前記無人レジ装置の利用を勧める案内を指示する報知を行うものと判定する構成とする。
【００２１】
これによると、店員が、有人レジ装置での会計を待つ顧客に無人レジ装置の利用を勧める案内を行い、これに応じて顧客が無人レジ装置を利用することで、顧客の会計待ちを軽減することができる。
【００２２】
また、第５の発明は、店舗内を撮影した映像に基づいて、店舗内に滞在する店員の状態を検知する店員状態検知部と、少なくとも前記有人レジ装置の状態を検知するレジ装置状態検知部と、をさらに備え、前記報知判定部は、前記会計待ち状態検知部により、前記有人レジ装置において会計待ちの顧客が多い状態と検知され、かつ、前記店員状態検知部の検知結果および前記レジ装置状態検知部の検知結果に基づいて、新たに前記有人レジ装置を稼働させることができないものと判断される場合には、前記有人レジ装置での会計を待つ顧客に前記無人レジ装置の利用を勧める案内を指示する報知を行うものと判定し、新たに前記有人レジ装置を稼働させることができるものと判断される場合には、前記有人レジ装置の稼働を指示する報知を行うものと判定する構成とする。
【００２３】
これによると、新たに有人レジ装置を稼働させることができない場合に、無人レジ装置の利用を勧める案内を行い、新たに有人レジ装置を稼働させることができる場合に、その有人レジ装置を稼働させて会計作業を行うことで、顧客満足度を高めることができる。
【００２４】
また、第６の発明は、店舗内を撮影した映像に基づいて、店舗内に滞在する店員の状態を検知する店員状態検知部と、前記レジ装置の状態を検知するレジ装置状態検知部と、をさらに備え、前記報知判定部は、前記会計待ち状態検知部により、会計待ちの顧客が多い状態と検知され、かつ、前記店内人物状態検知部により、店内が混雑している状態と検知され、かつ、前記店員状態検知部により、会計作業に参加可能な店員が存在する状態と検知され、かつ、前記レジ装置状態検知部により、全ての前記レジ装置が既に稼働している状態と検知された場合には、前記レジ装置での会計作業の応援を指示する報知を行うものと判定する構成とする。
【００２５】
これによると、新たにレジ装置を稼働させることができない場合でも、会計作業に参加可能な店員が存在する場合には、会計作業の応援を指示する報知を行って、レジ装置を操作する店員を補助する補助作業に別の店員を従事させることで、会計所要時間を短縮することができるため、顧客の会計待ちを軽減することができる。
【００２６】
また、第７の発明は、店舗内を撮影した映像に基づいて、店舗内に滞在する店員の状態を検知する店員状態検知部をさらに備え、前記報知判定部は、前記会計待ち状態検知部により、会計待ちの顧客が少ない状態と検知され、かつ、前記店内人物状態検知部により、店内が混雑している状態と検知され、かつ、前記店員状態検知部により、会計作業に参加可能な店員が存在する状態と検知された場合には、店員が会計作業を行う会計作業エリアへの集合を指示する報知を行うものと判定する構成とする。
【００２７】
これによると、会計待ちの顧客が少ない場合でも、店内が混雑している場合には、じきに会計を行う顧客が急増することが予測されるため、会計作業に参加可能な店員がいる場合には、会計作業エリアへの集合を指示する報知を行って、会計作業エリアに待機させることで、会計を行う顧客が急増した場合でも迅速に対応することができる。
【００２８】
また、第８の発明は、前記報知部で行われた前記報知に関する情報を蓄積する情報蓄積部と、この情報蓄積部に蓄積された情報に基づいて、前記報知の発生状況に関する集計結果を取得する集計部と、この集計部で取得した前記集計結果に基づいて、前記報知の発生状況に関する表示情報を生成する表示情報生成部と、をさらに備えた構成とする。
【００２９】
これによると、過去の報知の発生状況をユーザが簡単に把握することができる。
【００３０】
また、第９の発明は、前記会計待ち状態検知部で取得した検知時刻ごとの会計待ち状態に関する情報、前記店内人物状態検知部で取得した検知時刻ごとの店内人物状態に関する情報、および前記報知部で行われた前記報知に関する情報を蓄積する情報蓄積部と、この情報蓄積部に蓄積された情報に基づいて、前記会計待ち顧客状態の時間的な推移状況、前記店内人物状態の時間的な推移状況および前記報知の発生状況を統合した表示情報を生成する表示情報生成部と、をさらに備えた構成とする。
【００３１】
これによると、会計待ち顧客状態の時間的な推移状況や、店内人物状態の時間的な推移状況と比較しながら、報知がどのようなタイミングで発生したかをユーザが把握することができる。
【００３２】
また、第１０の発明は、店舗内を撮影した映像に基づいて、顧客の会計待ちを軽減するように店舗での会計業務を支援する会計業務支援システムであって、店舗内を撮影するカメラと、複数の情報処理装置と、を有し、前記複数の情報処理装置のいずれかが、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、前記会計待ち状態検知部の検知結果および前記店内人物状態検知部の検知結果に基づいて、顧客の会計待ちを軽減する行動を指示する報知の可否を判定する報知判定部と、この報知判定部の判定結果に基づいて、前記報知を行う報知部と、を備えた構成とする。
【００３３】
これによると、第１の発明と同様に、顧客の会計待ちを軽減する行動を店員に指示する報知のタイミングの最適化を図り、不要な報知を減らすことができる。
【００３４】
また、第１１の発明は、店舗内を撮影した映像に基づいて、顧客の会計待ちを軽減するように店舗での会計業務を支援する処理を情報処理装置に行わせる会計業務支援方法であって、レジ装置での会計を待つ顧客が滞在する会計待ちエリアを撮影した映像に基づいて、会計を待つ顧客の状態を検知するステップと、店舗内を撮影した映像に基づいて、店舗内に滞在する人物の状態を検知するステップと、前記会計を待つ顧客の状態を検知するステップの検知結果および前記店舗内に滞在する人物の状態を検知するステップの検知結果に基づいて、顧客の会計待ちを軽減する行動を指示する報知の可否を判定するステップと、このステップの判定結果に基づいて、前記報知を行うステップと、を有する構成とする。
【００３５】
これによると、第１の発明と同様に、顧客の会計待ちを軽減する行動を店員に指示する報知のタイミングの最適化を図り、不要な報知を減らすことができる。
【００３６】
以下、本発明の実施の形態を、図面を参照しながら説明する。
【００３７】
図１は、本実施形態に係る会計業務支援システムの全体構成図である。この会計業務支援システムは、コンビニエンスストアなどの小売チェーン店などを対象にして構築されるものであり、複数の店舗ごとに設けられたカメラ（撮像装置）１、レコーダ（画像記録装置）２、ＰＣ（会計業務支援装置）３、モニタ（表示装置）４、携帯型端末５、有人レジ装置６および無人レジ装置７と、複数の店舗を総括する本部に設けられたＰＣ１１、およびモニタ１２と、を備えている。
【００３８】
カメラ１は店舗内の適所に設置され、カメラ１により店舗内が撮像され、これにより得られた映像がレコーダ２に録画される。店舗に設置されたＰＣ３や本部に設置されたＰＣ１１では、カメラ１で撮像された店舗内の映像をリアルタイムで閲覧することができ、また、レコーダ２に録画された過去の店舗内の映像を閲覧することができ、これにより店舗や本部で店舗内の状況を確認することができる。
【００３９】
店舗に設置されたＰＣ３は、顧客の会計待ちを軽減するように店舗での会計業務を支援する会計業務支援装置として構成される。このＰＣ３では、顧客の会計待ちを軽減する行動を指示する報知が行われ、店員や店長が所持する携帯型端末（タブレット端末やスマートフォンなど）が報知の出力装置として構成される。また、このＰＣ３では、店舗における報知の発生状況や会計作業状況に関する情報が生成され、このＰＣ３で生成した情報は、ＰＣ３自身で閲覧することができ、さらに、本部に設置されたＰＣ１１に送信されて、このＰＣ１１でも閲覧することができ、ＰＣ３，１１が、報知の発生状況や会計作業状況に関する情報を閲覧する閲覧装置として構成される。
【００４０】
次に、コンビニエンスストアを例にして店舗のレイアウトおよびカメラ１の設置状況について説明する。図２は、店舗のレイアウトおよびカメラ１の設置状況を説明する店舗の平面図である。
【００４１】
店舗には、陳列棚が、弁当、加工食品、菓子、カップラーメン、生活雑貨などの商品の種類に分けて設置されている。また、店舗には、顧客が会計（代金の支払い）を行うためのレジ装置６，７が設置されている。有人レジ装置６は、店員が顧客から商品を受け取って会計作業を行うものであり、無人レジ装置７は、顧客自らが会計作業を行う、いわゆるセルフレジである。
【００４２】
また、店舗には、陳列棚が設けられた売り場とは壁を隔てた状態で、バックヤードおよびトイレが設けられている。
【００４３】
また、店舗には、店舗内を撮像する複数のカメラ１が設置されている。特に、図２（Ａ）に示す例では、カメラ１に、魚眼レンズを用いて３６０度の撮影範囲を有する全方位カメラが採用されており、図２（Ｂ）に示す例では、カメラ１に、所定の画角を有するカメラ、いわゆるボックスカメラが採用されており、これらのカメラ１は、店舗の天井に設置され、レジ装置６，７で会計を待つ顧客や、陳列棚の間の通路に滞在する顧客および店員を撮像することができる。
【００４４】
次に、図１に示した店舗に設置されたＰＣ３で行われる会計業務支援処理の概要について説明する。図３は、店舗に設置されたＰＣ３の概略構成を示す機能ブロック図である。
【００４５】
ＰＣ３は、監視部３１と、会計業務支援部３２と、を備えている。監視部３１は、ＰＣ３を店舗内を監視する監視システムとして機能させるものであり、この監視部３１により、カメラ１およびレコーダ２の動作が制御され、また、カメラ１で撮像された店舗内の画像をリアルタイムで閲覧し、また、レコーダ２に録画された店舗内の画像を閲覧することができる。
【００４６】
会計業務支援部３２は、カメラ１により店舗内を撮影した映像に基づいて、顧客の会計待ちを軽減するように店舗での会計業務を支援するものであり、会計待ち状態検知部４１と、店内人物状態検知部４２と、店員状態検知部４３と、レジ装置状態検知部４４と、報知判定部４５と、報知部４６と、情報蓄積部４７と、集計部４８と、ＧＵＩ制御部４９と、を備えている。
【００４７】
会計待ち状態検知部４１では、レジ装置６，７での会計を待つ顧客が滞在する会計待ちエリアをカメラ１により撮影した映像に基づいて、会計を待つ顧客の状態を検知する処理が行われる。本実施形態では、会計待ちエリアの映像から会計待ちエリアに滞在する人物を検出し、この人物検出処理の検出結果に基づいて、会計待ちエリアに滞在する人物の人数、すなわち会計を待つ顧客の人数（会計待ち人数）を計測する。この会計待ち人数計測処理は、レジ装置６，７の各々について行われ、レジ装置６，７ごとの会計待ち人数を取得する。
【００４８】
また、会計待ち状態検知部４１では、有人レジ装置６の会計待ち人数に基づいて、有人レジ装置６での会計待ちの顧客が多い状態か否かを判定する。この有人レジ会計待ち状態の判定は、会計待ち人数を所定のしきい値と比較することで行われ、レジ別会計待ち人数がしきい値に達した場合には、会計待ちの顧客が多い状態と判定する。なお、しきい値は適宜に設定すればよいが、しきい値を１に設定することもでき、この場合、会計を待つ顧客が１人でもいれば会計待ちの顧客が多いものと判定する。
【００４９】
店内人物状態検知部４２では、カメラ１により店舗内を撮影した映像に基づいて、店舗内に滞在する人物の状態を検知する処理が行われる。本実施形態では、店舗内の映像から店舗内に滞在する人物を検出し、この人物検出処理の検出結果に基づいて、店舗内に滞在する人物の人数（店内滞在人数）を計測して、この店内滞在人数に基づいて店舗内が混雑した状態か否かを判定する。この店内混雑状態の判定は、店内滞在人数を所定のしきい値と比較することで行われ、店内滞在人数がしきい値に達した場合には、店舗内が混雑した状態と判定する。
【００５０】
店員状態検知部４３では、カメラ１により店舗内を撮影した映像に基づいて、店舗内に滞在する店員の状態を検知する処理が行われる。この店員状態検知処理では、店舗内の映像から店舗内に滞在する人物を検出し、この人物検出処理で検出された人物が店員か否かを判定する店員判定を行うことで、店舗内に滞在する店員を検知する。
【００５１】
特に、店員状態検知部４３では、新たに会計作業に参加可能な店員、すなわち店舗内の会計作業エリア外に滞在して、会計作業とは異なる作業を行っている店員を検知する。このような店員は、新たに稼働させた有人レジ装置６でレジ作業を行うことができる。特に本実施形態では、新たに会計作業に参加可能な店員として、売場に滞在する店員を検知し、売場に滞在する店員の人数（売場店員人数）を計測する。
【００５２】
なお、店員状態検知部４３では、店内人物状態検知部４２と同様に、店舗内を対象とした人物検出処理が必要となるが、この人物検出処理を、店員状態検知部４３と店内人物状態検知部４２とで別々に行う必要はなく、店員状態検知部４３では、店内人物状態検知部４２で行われる人物検出処理の検出結果を利用して店員判定を行えばよい。また、カメラ１が全方位カメラである場合、店員の顔を正面から撮影することが難しいため、着衣の特徴に基づいて店員判定を行えばよい。一方、カメラ１がボックスカメラである場合には、店員の顔を正面から撮影することができるため、顔照合で店員判定を行うことができ、さらに、顔照合と着衣判定との双方を行うようにしてもよい。
【００５３】
なお、会計待ち状態検知部４１、店内人物状態検知部４２および店員状態検知部４３で行われる人物検出処理は、公知の画像認識技術、すなわち映像から人物の像を抽出して人物の位置を求める技術などを利用すればよい。
【００５４】
レジ装置状態検知部４４では、レジ装置６，７の運用状態および有人レジ装置６の稼働状態を検知する処理が行われる。このレジ装置状態検知処理では、レジ装置６，７からステータス情報を取得し、このステータス情報に基づいて、レジ装置６，７が運用中である否かのレジ運用状態に関する判定と、複数の有人レジ装置６の各々について稼働中であるか停止中であるか稼働状態に関する判定とが行われる。
【００５５】
なお、本実施形態においてレジ装置６，７が運用中であるとは、レジ装置６，７を起動（電源投入）して使用可能な状態にあることを示す。また、有人レジ装置６が停止中であるとは、有人レジ装置６のレジカウンターを一時的に閉鎖する、具体的には停止中を示す掲示板をレジカウンターに載置して、有人レジ装置６で会計を行わないようにした状態を示すものであり、必ずしも有人レジ装置６自体の停止を示すものではない。
【００５６】
なお、会計待ち状態検知部４１、店内人物状態検知部４２、店員状態検知部４３、およびレジ装置状態検知部４４で行われる各検知処理は、所定の検知間隔（例えば５分間隔）で実行され、会計待ち状態検知部４１から、会計待ち人数を含む検知結果が検知時刻ごとに出力され、店内人物状態検知部４２から、店内滞在人数を含む検知結果が検知時刻ごとに出力され、店員状態検知部４３から、売場店員人数を含む検知結果が検知時刻ごとに出力され、レジ装置状態検知部４４から、運用状態および稼働状態に関する情報が検知時刻ごとに出力される。
【００５７】
報知判定部４５では、会計待ち状態検知部４１、店内人物状態検知部４２、店員状態検知部４３、およびレジ装置状態検知部４４の各検知結果に基づいて、顧客の会計待ちを軽減する行動を指示する報知の可否を判定する処理が行われる。
【００５８】
本実施形態では、停止中の有人レジ装置６の稼働を指示する報知（有人レジ稼働報知）、有人レジ装置６での会計を待つ顧客に無人レジ装置７の利用を勧める案内を指示する報知（無人レジ案内報知）、有人レジ装置６での会計作業の応援、すなわち袋詰めなどの補助作業を指示する報知（レジ応援報知）、有人レジ装置６での入力作業や補助作業のために会計作業エリアへの集合を指示する報知（レジ集合報知）、および有人レジ装置６が停止可能であることの報知（レジ停止可能報知）が行われる。
【００５９】
前記のように、本実施形態では、会計待ち状態検知部４１において、有人レジ装置６での会計待ちの顧客が多い状態か否かの有人レジ会計待ち状態の検知、および無人レジ装置７での会計待ちの顧客がいるか否かの無人レジ会計待ち状態の検知が行われ、また、店内人物状態検知部４２において、店舗内が混雑した状態か否かの店内混雑状態の検知が行われ、また、店員状態検知部４３において、売場に店員が滞在しているか否かの売場店員状態の検知が行われ、また、レジ装置状態検知部４４において、レジ運用状態および各レジ装置６，７の稼働状態の検知が行われ、これらの検知結果に基づいて、必要な報知の種別が決定される。
【００６０】
報知部４６では、報知判定部４５の判定結果に基づいて、顧客の会計待ちを軽減する行動を指示する報知を店員や店長に対して行う。この報知は、店員や店長が所持する携帯型端末（タブレット端末やスマートフォンなど）５を用いて行われ、報知内容に関する情報が報知部４６から携帯型端末５に送信され、報知内容を表示した報知画面が携帯型端末５に表示される。
【００６１】
情報蓄積部４７では、会計待ち状態検知部４１で取得した検知時刻ごとの会計待ち人数に関する情報、店内人物状態検知部４２で取得した検知時刻ごとの店内滞在人数に関する情報、店員状態検知部４３で取得した検知時刻ごとの売場店員人数に関する情報、レジ装置状態検知部４４で取得した検知時刻ごとのレジ装置６，７の稼働状況に関する情報、ならびに報知部４６での報知結果、すなわち報知の発生時刻および種別に関する情報が蓄積される。
【００６２】
集計部４８では、情報蓄積部４７に蓄積された報知の発生時刻および種別に関する情報に基づいて、報知の発生状況に関する集計結果を取得する処理が行われる。本実施形態では、報知の発生時刻を所定の集計単位期間で集計して、その集計単位期間ごとの報知回数を取得する処理が行われる。
【００６３】
ＧＵＩ制御部４９は、モニタ４およびマウスなどの入力デバイス（入力部）８を用いたＧＵＩ（Graphical User Interface）により、ユーザの入力操作による入力情報を取得する処理、および報知の発生状況や会計作業状況などに関する情報を出力する処理を行うものであり、画面情報生成部（表示情報生成部）５１と、入力情報取得部５２と、を備えている。
【００６４】
画面情報生成部５１では、報知の発生状況や会計作業状況などに関する情報を表示する表示画面に関する表示情報を生成する処理が行われ、その表示画面がモニタ４に表示される。入力情報取得部５２では、モニタ４に表示させた画面上で入力デバイス８を用いてユーザが行った入力操作に応じて入力情報を取得する処理が行われる。この入力情報取得部５２で取得した入力情報に基づいて、会計業務支援部３２での処理条件を設定する処理などが行われる。
【００６５】
特に、画面情報生成部５１では、会計待ち状態検知部４１、店内人物状態検知部４２、店員状態検知部４３、およびレジ装置状態検知部４４で取得した情報、ならびに報知部４６での報知結果に関する情報に基づいて、所定の対象期間における、店内人物状態（店内滞在人数）、店員状態（売場店員人数）、および会計待ち状態（レジ別会計待ち人数）の時間的な推移状況、ならびに報知の発生状況を統合して表示する会計作業状況表示画面（図１７〜図１９参照）に関する表示情報を生成する処理が行われ、この会計作業状況表示画面がモニタ４に表示される。
【００６６】
また、画面情報生成部５１では、集計部４８での集計結果に関する情報に基づいて、所定の対象期間における集計単位期間ごとの報知回数を表示する報知状況表示画面（図２１参照）に関する表示情報を生成する処理が行われ、この報知状況表示画面がモニタ４に表示される。
【００６７】
なお、監視部３１および会計業務支援部３２は、ＰＣ３のＣＰＵで監視用および会計業務支援用のプログラムを実行させることで実現される。これらのプログラムは、情報処理装置としてのＰＣ３に予め導入して専用の装置として構成する他、汎用ＯＳ上で動作するアプリケーションプログラムとして適宜なプログラム記録媒体に記録して、またネットワークを介して、ユーザに提供されるようにしてもよい。
【００６８】
次に、店舗内に設定される各種のエリアについて説明する。図４は、店舗内に設定される各種のエリアを示す説明図である。
【００６９】
顧客は、出入口から入店し、陳列棚の間の通路を通って店舗内を移動し、所望の商品が見つかると、その商品を持って有人レジ装置６または無人レジ装置７で会計（代金の支払い）を行う。ここで、顧客は、会計を行う際に有人レジ装置６または無人レジ装置７の前に滞在するが、このような会計を行う顧客の状態を検知するため、本実施形態では、有人レジ装置６または無人レジ装置７の前にそれぞれ会計待ちエリアＡ１−１〜Ａ１−３が設定されている。
【００７０】
ここで、本実施形態では、前記のように、会計待ち状態検知部４１において、レジ装置６，７ごとに会計を待つ顧客の人数（会計待ち人数）を計測するようにしているが、この会計待ち状態検知処理では、会計待ちエリアＡ１−１〜Ａ１−３の各々に滞在する人物を検出することで、レジ装置６，７ごとの会計待ち人数を計測することができる。
【００７１】
また、レジ装置６，７を挟んで会計待ちエリアＡ１−１〜Ａ１−３と相反する側には、会計作業を行うために店員が滞在する会計作業エリアＡ２が設定されている。売場の陳列棚の間には、顧客や店員が滞在する通路エリアＡ３−１〜Ａ３−４が設定されている。店舗の出入口の売場側には、エントランスエリアＡ４が設定されている。
【００７２】
ここで、本実施形態では、店内人物状態検知部４２において、店舗内に滞在する人物の人数（店内滞在人数）を計測するようにしており、この店内人物状態検知処理での対象エリアは店舗全体としているが、店内滞在人数は、顧客の混雑状態を把握するものであるため、店員のみが滞在する会計作業エリアＡ２を除外するようにしてもよく、さらに、売場、すなわち通路エリアＡ３−１〜Ａ３−４のみとしてもよい。
【００７３】
また、本実施形態では、店員状態検知部４３において、売場、すなわち通路エリアＡ３−１〜Ａ３−４に滞在する店員の人数（売場店員人数）を計測するようにしているが、この店員状態検知処理での対象エリアにエントランスエリアＡ４を含めるようにしてもよい。
【００７４】
次に、図１に示した報知判定部４５で行われる報知判定処理について説明する。図５、図６および図７は、報知判定部４５で行われる報知判定処理の概要を説明する説明図である。図８、図９および図１０は、報知判定部４５で行われる報知判定処理の手順を説明するフロー図である。
【００７５】
図１１、図１２、図１３および図１４は、図６に示したケースＡでの店舗内の状況を説明する説明図である。図１５は、図７に示したケースＢでの店舗内の状況を説明する説明図である。図１６は、図５に示したケースＣ，Ｄでの店舗内の状況を説明する説明図である。
【００７６】
図５に示すように、報知判定部４５では、レジ運用状態の判定（図８のＳＴ１０１）と、有人レジ会計待ち状態の判定（図８のＳＴ１０２）と、店内混雑状態の判定（図８のＳＴ１０３，ＳＴ１０４，ＳＴ１０５）とが行われ、これによりケースＡ〜Ｆの６つのケースに場合分けされる。
【００７７】
図５に示したケースＡ、すなわちレジ装置６，７が運用中である場合（図８のＳＴ１０１でＹｅｓ）で、かつ、有人レジ装置６で会計を待つ顧客が多い場合（図８のＳＴ１０２でＹｅｓ）で、かつ、店内が混雑している場合（図８のＳＴ１０３でＹｅｓ）では、図６に示すように、報知判定部４５において、売場店員状態の判定（図９のＳＴ２０１）と、有人レジ稼働状態の判定（図９のＳＴ２０２）と、無人レジ会計待ち状態の判定（図９のＳＴ２０３，ＳＴ２０４）と、が行われる。
【００７８】
ここで、図１１に示すように、売場に店員が滞在している場合（図９のＳＴ２０１でＹｅｓ）で、かつ、停止中の有人レジ装置６がある場合（図９のＳＴ２０２でＹｅｓ）には、新たに有人レジ装置６を稼働させることができるものと判断して、停止中の有人レジ装置６の稼働を指示する報知（有人レジ稼働報知）を行うものとする（図９のＳＴ２０５）。この報知を売場に滞在する店員が確認すると、その店員は、停止中の有人レジ装置６を稼働させ、その有人レジ装置６で会計作業（レジ入力作業）を行う。
【００７９】
一方、売場に店員が滞在していない場合（図９のＳＴ２０１でＮｏ）や、全ての有人レジ装置６が既に稼働している場合（図９のＳＴ２０２でＮｏ）には、新たに有人レジ装置６を稼働させることができないものと判断して、以下のように、有人レジ稼働報知以外の報知を行うか、または報知を行わないものとする。
【００８０】
すなわち、図１２に示すように、売場に店員が滞在している場合（図９のＳＴ２０１でＹｅｓ）で、かつ、全ての有人レジ装置６が既に稼働している場合（図９のＳＴ２０２でＮｏ）で、かつ、無人レジ装置７で会計待ちの顧客がいる場合（図９のＳＴ２０３でＹｅｓ）には、有人レジ装置６での会計作業の応援を指示する報知（レジ応援報知）を行うものとする（図９のＳＴ２０６）。この報知を売場に滞在する店員が確認すると、その店員は、レジ作業エリアに移動して、袋詰めなどの補助作業を行う。
【００８１】
また、図１３（Ａ）に示すように、売場に店員が滞在している場合（図９のＳＴ２０１でＹｅｓ）で、かつ、全ての有人レジ装置６が既に稼働している場合（図９のＳＴ２０２でＮｏ）で、かつ、無人レジ装置７で会計待ちの顧客がいない場合（図９のＳＴ２０３でＮｏ）には、有人レジ装置６での会計を待つ顧客に無人レジ装置７の利用を勧める案内を指示する報知（無人レジ案内報知）を行うものとする（図９のＳＴ２０７）。この報知を売場に滞在する店員や有人レジ装置６で会計作業を行う店員が確認すると、その店員は、有人レジ装置６での会計を待つ顧客に無人レジ装置７の利用を勧める案内を行う。
【００８２】
また、図１３（Ｂ），（Ｃ）に示すように、売場に店員が滞在していない場合（図９のＳＴ２０１でＮｏ）で、かつ、無人レジ装置７で会計待ちの顧客がいない場合（図９のＳＴ２０４でＮｏ）には、有人レジ装置６での会計を待つ顧客に無人レジ装置７の利用を勧める案内を指示する報知（無人レジ案内報知）を行うものとする（図９のＳＴ２０７）。この報知を有人レジ装置６で会計作業を行う店員が確認すると、その店員は、有人レジ装置６での会計を待つ顧客に無人レジ装置７の利用を勧める案内を行う。
【００８３】
ここで、図１３（Ｂ）に示す例では、全ての有人レジ装置６が既に稼働しているため、新たに有人レジ装置６を稼働させることができない。また、図１３（Ｃ）に示す例では、停止中の有人レジ装置６があるが、もう１人の店員はバックヤードで作業を行っており、売場に店員が滞在していない、すなわち有人レジ装置６で会計作業を行う店員がいないため、停止中の有人レジ装置６を稼働させることができない。
【００８４】
なお、無人レジ装置７が停止している場合には、無人レジ案内報知に合わせて、無人レジ装置７の稼働を指示する報知（無人レジ稼働報知）を行うものとする。
【００８５】
また、図１４（Ａ），（Ｂ）に示すように、売場に店員が滞在していない場合（図９のＳＴ２０１でＮｏ）で、かつ、無人レジ装置７で会計待ちの顧客がいる場合（図９のＳＴ２０４でＹｅｓ）には、報知を行わないものとする（図９のＳＴ２０８）。
【００８６】
ここで、図１４（Ａ）に示す例では、全ての有人レジ装置６が既に稼働しているため、新たに有人レジ装置６を稼働させることができない。また、図１４（Ｂ）に示す例では、停止中の有人レジ装置６があるが、もう１人の店員はバックヤードで作業を行っており、売場に店員が滞在していない、すなわち有人レジ装置６でレジ作業を行う店員がいないため、停止中の有人レジ装置６を稼働させることができない。
【００８７】
また、図５に示したケースＢ、すなわちレジが運用中である場合（図５のＳＴ１０１でＹｅｓ）で、かつ、有人レジ装置６で会計待ちの顧客が少ない場合（図５のＳＴ１０２でＮｏ）で、かつ、店内が混雑している場合（図５のＳＴ１０４でＹｅｓ）には、図７に示すように、報知判定部４５において、売場店員状態の判定（図１０のＳＴ３０１）と、有人レジ稼働状態の判定（図１０のＳＴ３０３）と、が行われる。
【００８８】
ここで、図１５（Ａ），（Ｂ）に示すように、売場に店員が滞在している場合（図１０のＳＴ３０１でＹｅｓ）には、レジ作業エリアへの集合を指示する報知（レジ集合報知）を行うものとする（図１０のＳＴ３０２）。この報知を売場に滞在する店員が確認すると、その店員は会計作業エリアに移動する。
【００８９】
そして、図１５（Ａ）に示すように、停止中の有人レジ装置６がある場合（図１０のＳＴ３０３でＹｅｓ）には、新たに有人レジ装置６を稼働させることができるものと判断して、停止中の有人レジ装置６の稼働を指示する報知（有人レジ稼働報知）を行うものとする（図１０のＳＴ３０４）。この報知を会計作業エリアに移動した店員が確認すると、その店員は、停止中の有人レジ装置６を稼働させて、その有人レジ装置６で会計作業（レジ入力作業）を行う。
【００９０】
一方、図１５（Ｂ）に示すように、全ての有人レジ装置６が既に稼働している場合（図７のＳＴ３０３でＮｏ）には、報知を行わないものとする（図１０のＳＴ３０５）。この場合、レジ集合報知に応じて会計作業エリアで待機している店員は、袋詰めなどの補助作業を行う。
【００９１】
また、図１５（Ｃ）に示すように、売場に店員が滞在していない場合（図１０のＳＴ３０１でＮｏ）にも、報知を行わないものとする（図１０のＳＴ３０５）。なお、図１５（Ｃ）に示す例では、停止中の有人レジ装置６があるが、もう１人の店員はバックヤードで作業を行っており、売場に店員が滞在していない、すなわち有人レジ装置６でレジ作業を行う店員がいないため、停止中の有人レジ装置６を稼働させることができない。
【００９２】
また、図１６（Ａ）に示すように、図５に示したケースＣ、すなわちレジが運用中である場合（図８のＳＴ１０１でＹｅｓ）で、かつ、有人レジ装置６で会計待ちの顧客が多い場合（図８のＳＴ１０２でＹｅｓ）で、かつ、店内が混雑していない場合（図８のＳＴ１０３でＮｏ）には、報知を行わないものとする（図８のＳＴ１０７）。図１６（Ａ）に示す例では、新たに有人レジ装置６を稼働させることができるが、店内が混雑していないため、会計待ちの顧客が増える可能性が低く、有人レジ稼働報知などの報知を行う必要性が低い。
【００９３】
また、図１６（Ｂ）に示すように、図５に示したケースＤ、すなわちレジが運用中である場合（図８のＳＴ１０１でＹｅｓ）で、かつ、有人レジ装置６で会計待ちの顧客が少ない場合（図８のＳＴ１０２でＮｏ）で、かつ、店内が混雑していない場合（図５のＳＴ１０４でＮｏ）では、有人レジ装置６が停止可能であることの報知（レジ停止可能報知）を行うものとする（図８のＳＴ１０９）。
【００９４】
また、図５に示したように、ケースＥ、すなわちレジ装置６，７が運用中でない場合（図８のＳＴ１０１でＮｏ）で、かつ、店内が混雑している場合（図８のＳＴ１０５でＹｅｓ）には、レジ装置６，７の運用の開始を指示する報知（レジ運用開始報知）を行うものとする（図８のＳＴ１１０）。一方、ケースＦ、すなわちレジ装置６，７が運用中でない場合（図８のＳＴ１０１でＮｏ）で、かつ、店内が混雑していない場合（図８のＳＴ１０５でＮｏ）には、報知を行わないものとする（図８のＳＴ１１１）。
【００９５】
なお、会計待ち状態に関する判定として、有人レジ装置６では、会計待ちの顧客が多いか否かの判定を行うようにしたが、この判定は、前記のように所定のしきい値との比較で行われ、このしきい値は適宜に設定すればよく、例えばしきい値を１として判定を行う、すなわち、有人レジ装置６に会計待ちの顧客がいるか否かの判定を行うようにしてもよい。また、無人レジ装置７では、会計待ちの顧客がいるか否かの判定を行うようにしたが、有人レジ装置６と同様に、所定のしきい値との比較により、会計待ちの顧客が多いか否かの判定を行うようにしてもよい。
【００９６】
次に、図１に示した店舗のモニタ４および本部のモニタ１２に表示される会計作業状況表示画面について説明する。図１７、図１８および図１９は、店舗のモニタ４や本部のモニタ１２に表示される会計作業状況表示画面を示す説明図である。
【００９７】
なお、図１７〜図１９に示す例では、会計作業状況表示画面に、過去、すなわち前日以前の会計作業状況を表示しているが、この会計作業状況表示画面をリアルタイムで表示させることもできる。この場合、過去、すなわち現在の時刻より前の時刻の範囲のみが表示される。
【００９８】
この会計作業状況表示画面は、所定の対象期間（ここでは１日）における、店内人物状態（店内滞在人数）、店員状態（売場店員人数）、および会計待ち状態（レジ別会計待ち人数）の時間的な推移状況、ならびに報知の発生状況を統合して表示するものであり、この会計作業状況表示画面には、日付表示部６１と、カレンダーボタン６２と、店内人物状態表示部６３と、店員状態表示部６４と、会計待ち状態表示部６５と、表示時刻操作部６６と、が設けられている。
【００９９】
日付表示部６１は、日付を表示するものであり、カレンダーボタン６２は、日付を選択するものであり、カレンダーボタン６２を操作すると、図示しないカレンダー画面が表示され、ここで日付を選択することで、選択した日付が日付表示部６１に表示され、また、選択した日付の会計作業状況が、店内人物状態表示部６３、店員状態表示部６４および会計待ち状態表示部６５に表示される。
【０１００】
店内人物状態表示部６３には、グラフ表示部６７が設けられており、このグラフ表示部６７では、店内滞在人数の時間的な推移状況がグラフ（折れ線グラフ）で表示されている。このグラフでは、横軸が時間帯となり、縦軸が店内滞在人数となっている。このグラフにより、店内滞在人数の時間的な推移状況をユーザが把握することができる。
【０１０１】
店員状態表示部６４には、グラフ表示部６８が設けられており、このグラフ表示部６８では、売場店員人数の時間的な推移状況がグラフ（折れ線グラフ）で表示されている。このグラフでは、横軸が時間帯となり、縦軸が売場店員人数となっている。このグラフにより、売場店員人数の時間的な推移状況をユーザが把握することができる。
【０１０２】
会計待ち状態表示部６５は、２つの有人レジ装置６および無人レジ装置７ごとに設けられており、この会計待ち状態表示部６５には、レジ稼働状況表示部６９と、映像表示部７０と、グラフ表示部７１と、が設けられている。レジ稼働状況表示部６９には、レジ装置６，７の稼働状況（稼働中および停止中）が表示される。映像表示部７０には、会計作業エリアや会計待ちエリアの映像、すなわち会計作業を行う店員や、会計を行う顧客および会計を待つ顧客が映った映像が表示される。
【０１０３】
グラフ表示部７１では、会計待ち人数の時間的な推移状況がグラフ（折れ線グラフ）で表示されている。このグラフでは、横軸が時間帯となり、縦軸が会計待ち人数となっている。このグラフにより、会計待ち人数の時間的な推移状況をユーザが把握することができる。
【０１０４】
また、グラフ表示部７１では、報知の発生時刻を示す報知マーク７２が表示されている。これにより、会計待ち人数の時間的な推移状況と比較しながら、報知がどのようなタイミングで発生したかをユーザが把握することができる。
【０１０５】
表示時刻操作部６６は、映像表示部７０に表示される映像の時刻を調整するものである。この表示時刻操作部６６を操作することで、映像を所望の時刻の映像に切り替えることができる。具体的には、表示時刻操作部６６が、グラフ表示部６７，６８，７１に表示されたグラフの横軸（時間軸）に沿う方向に移動可能に設けられ、マウスなどの入力デバイス８を用いて表示時刻操作部６６をずらすと、グラフ表示部６７，６８，７１に表示されたライン７３が移動し、そのライン７３が指し示す時刻の映像が映像表示部７０に表示される。これにより、報知が発生した時刻など、所要の時刻における会計作業エリアや会計待ちエリアの実際の状態を映像表示部７０の映像で確認することができる。
【０１０６】
なお、図１７〜図１９に示す会計作業状況表示画面をリアルタイムで表示する場合には、表示時刻操作部６６の矢印は左側のみ表示され、過去に遡って映像を表示することができる。
【０１０７】
ここで、図１７に示す例は、停止中の有人レジ装置６の稼働を指示する報知（有人レジ稼働報知）が発生した時刻に、表示時刻操作部６６を合わせた場合である。このときの店舗内の状況は、図１１に示したように、店内滞在人数が多い、すなわち店内が混雑した状態で、かつ、有人レジ装置６で会計を待つ顧客が多い状態で、かつ、売場に店員が滞在している状態で、かつ、停止中の有人レジ装置６がある状態となっており、図９に示した手順にしたがって有人レジ稼働報知が行われる。
【０１０８】
また、図１８に示す例は、有人レジ装置６での会計を待つ顧客に無人レジ装置７の利用を勧める案内を指示する報知（無人レジ案内報知）が発生した時刻に、表示時刻操作部６６を合わせた場合である。このときの店舗内の状況は、図１３（Ｂ）に示すように、店内滞在人数が多い、すなわち店内が混雑した状態で、かつ、売場店員人数が０、すなわち売場に店員が滞在していない状態で、かつ、有人レジ装置６で会計を待つ顧客が多い状態で、かつ、無人レジ装置７で会計待ちの顧客がいない状態となっており、図９に示した手順にしたがって無人レジ案内報知が行われる。
【０１０９】
また、図１９に示す例は、報知が発生していない時刻に、表示時刻操作部６６を合わせた場合である。このときの店舗内の状況は、図１４（Ａ）に示すように、店内滞在人数が多い、すなわち店内が混雑している状態で、かつ、売場店員人数が０、すなわち売場に店員が滞在していない状態で、かつ、有人レジ装置６で会計を待つ顧客が多い状態で、かつ、無人レジ装置７で会計待ちの顧客がいる状態となっており、図９に示した手順にしたがって報知が行われない。
【０１１０】
なお、図１７〜図１９に示した会計作業状況表示画面は、店舗のモニタ４および本部のモニタ１２に表示させることができ、店舗のモニタ４に表示させることで店長が閲覧することができ、本部のモニタ１２に表示させることでスーパーバイザーが閲覧することができ、店員の会計作業が報知の発生に対して適切に実施されたかなどを容易に把握することが可能となる。
【０１１１】
また、グラフ表示部６７，６８，７１では、店内人物状態検知部４２、店員状態検知部４３および会計待ち状態検知部４１からそれぞれ所定の検知間隔（例えば５分間隔）で出力される検知時刻ごとの人数（店内滞在人数、売場店員人数および会計待ち人数）をそのまま表示すればよいが、集計部４８において、検知時刻ごとの人数を所定の集計単位期間（例えば１時間）で集計して、その集計単位期間ごとの人数を表示するようにしてもよい。
【０１１２】
次に、図１に示した携帯型端末５を用いて店員や店長に対して報知を行うための報知画面について説明する。図２０は、携帯型端末５に表示される報知画面を示す説明図である。
【０１１３】
本実施形態では、店員や店長が所持する携帯型端末（タブレット端末やスマートフォンなど）５を用いて店員や店長に対して報知を行うようにしており、図２０に示す報知画面が携帯型端末５に表示され、この報知画面を閲覧することで店員や店長が報知内容を知ることができる。
【０１１４】
この報知画面には、コメント表示部８１と、映像表示部８２と、確認ボタン８３と、が設けられている。コメント表示部８１には、報知内容を表す文字が表示される。映像表示部８２には、報知内容に関連するエリアの映像が表示される。図２０に示す例は、有人レジ装置６での会計を待つ顧客に無人レジ装置７の利用を勧める案内を指示する報知（無人レジ案内報知）の場合であり、映像表示部８２には、無人レジ装置７の会計待ちエリアを撮影した映像が表示される。
【０１１５】
この報知画面を店員が閲覧して確認ボタン８３を操作すると、報知画面を閲覧した旨の通知がＰＣ３に送信され、これにより、店員が報知画面を閲覧したことを店長やスーパーバイザーが把握することができる。
【０１１６】
なお、図２０には無人レジ案内報知の場合を示したが、その他の報知もこれと同様に行われる。
【０１１７】
次に、図１に示した店舗のモニタ４や本部のモニタ１２に表示される報知状況表示画面について説明する。図２１は、店舗のモニタ４や本部のモニタ１２に表示される報知状況表示画面を示す説明図である。
【０１１８】
図２１（Ａ）に示す報知状況表示画面は、１つの店舗における報知の発生状況を示すものであり、図２１（Ｂ）に示す報知状況表示画面は、複数の店舗における報知の発生状況を比較して示すものである。これらの報知状況表示画面では、報知回数の時間的な推移状況がグラフ（折れ線グラフ）で表されている。特に、図２１（Ａ），（Ｂ）に示す例では、１日ごとの報知回数の推移状況がグラフで表されており、グラフの横軸が日となり、グラフの縦軸が報知回数となっている。
【０１１９】
前記のように、集計部４８では、報知の発生時刻を所定の集計期間単位で集計して、その集計期間ごとの報知回数を取得する処理が行われ、ここで集計単位期間を１日として、１日ごとの報知回数を取得することで、図２１（Ａ），（Ｂ）に示す報知状況表示画面を生成することができる。
【０１２０】
図２１（Ａ）に示した報知状況表示画面は、店舗のモニタ４や本部のモニタ１２に表示され、これを店長やスーパーバイザーが閲覧することで、店長やスーパーバイザーが１つの店舗における報知の発生状況を把握することができる。また、図２１（Ｂ）に示した報知状況表示画面は、本部のモニタ１２に表示され、これをスーパーバイザーが閲覧することで、スーパーバイザーが複数の店舗における報知の発生状況を比較して把握することができる。
【０１２１】
なお、図２１（Ａ），（Ｂ）に示す例では、集計単位期間を１日として、１日ごとの報知回数の推移状況を表示するようにしたが、集計単位期間を１週間として、１週間ごとの報知回数を表示したり、集計単位期間を１ヶ月として、１ヶ月ごとの報知回数を表示したりするようにしてもよい。
【０１２２】
次に、本実施形態に係る会計業務支援システムの変形例について説明する。図２２および図２３は、本実施形態に係る会計業務支援システムの変形例における店舗内の状況を説明する説明図である。
【０１２３】
前記の実施形態では、店内人物状態検知部４２において店内滞在人数を計測して店内全体の混雑状態を検知し、この店内全体の混雑状態に基づいて報知判定部４５において報知の可否を判定するようにしたが、店舗内における顧客の滞在位置に応じて報知の可否を判定するようにしてよい。
【０１２４】
例えば、店舗に来店した顧客は矢印で示すように店舗内を進み、この顧客の進行ルートの上流側のエリアに滞在する顧客はすぐには会計を行わない。特に、店舗の出入口の近傍には雑誌類の陳列棚が設置されているが、ここで雑誌類を閲覧する顧客はすぐには会計を行わない。このため、顧客の進行ルートの上流側のエリアに顧客が多く滞在していても、進行ルートの下流側のエリアに滞在する顧客が少ない場合には、店員に顧客の会計待ちを軽減する行動を行わせる必要がない。
【０１２５】
そこで、店内人物状態検知部４２において、陳列棚ごとに設定されたエリア（図４参照）別に滞在人数を計測して、このエリア別の滞在人数に基づいて報知判定部４５において報知の可否を判定する、例えば、進行ルートの上流側のエリアの滞在人数を進行ルートの下流側のエリアの滞在人数より低く評価して混雑レベルを求め、この混雑レベルに基づいて報知判定部４５において報知の可否を判定するようにする。
【０１２６】
また、前記の実施形態では、会計を待つ顧客が複数の有人レジ装置６で別々に行列をつくる場合について説明したが、図２３に示すように、会計を待つ顧客を１列に並べる場合がある。この場合、会計待ち状態検知部４１では、複数の有人レジ装置６全体での会計待ち人数を計測し、図１７〜図１９に示した会計待ち状態表示部６５の有人レジ装置６に関するグラフ表示部７１は１つになる。なお、無人レジ装置７では、有人レジ装置６とは別に顧客が行列をつくることになる。
【０１２７】
以上のように、本実施形態では、会計待ち状態検知部４１において、会計を待つ顧客の状態を映像から検知するとともに、店内人物状態検知部４２において、店舗内に滞在する人物の状態を映像から検知して、報知判定部４５において、会計を待つ顧客の状態と店舗内に滞在する人物の状態との双方を考慮して報知の可否を判定するため、報知のタイミングの最適化を図り、不要な報知を減らすことができる。
【０１２８】
また、本実施形態では、報知判定部４５において、店員状態検知部４３の検知結果およびレジ装置状態検知部４４の検知結果に基づいて、新たにレジ装置６を稼働させることができるものと判断される場合には、レジ装置６の稼働を指示する報知を行うものと判定するようにしたため、不要な報知を減らすことができる。すなわち、新たにレジ装置６を稼働させることができない場合に、レジ装置６の稼働を指示する報知を行っても、店員に無駄な行動を行わせるだけであり、新たにレジ装置６を稼働させることができる場合に、レジ装置６の稼働を指示する報知を行うようにすることで、店員に無駄な行動を行わせることを避けることができる。
【０１２９】
また、本実施形態では、報知判定部４５において、会計待ち状態検知部４１により、会計待ちの顧客が多い状態と検知され、かつ、店内人物状態検知部４２により、店舗内が混雑していない状態と検知された場合には、報知を行わないものと判定するようにしたため、不要な報知を減らすことができる。すなわち、会計待ちの顧客が多い状態でも、店内が混雑していない状態では、じきに会計待ちの顧客が減ることが予測され、このような場合に顧客の会計待ちを軽減する行動を行っても無駄になる可能性が高く、このような場合には報知を行わないようにすることで、店員に無駄な行動を行わせることを避けることができる。
【０１３０】
また、本実施形態では、報知判定部４５において、会計待ち状態検知部４１により、有人レジ装置６において会計待ちの顧客が多い状態と検知された場合には、有人レジ装置６での会計を待つ顧客に無人レジ装置７の利用を勧める案内を指示する報知を行うものと判定するようにしており、有人レジ装置６での会計を待つ顧客に無人レジ装置７の利用を勧める案内に応じて顧客が無人レジ装置７を利用することで、顧客の会計待ちを軽減することができる。
【０１３１】
また、本実施形態では、報知判定部４５において、会計待ち状態検知部４１により、有人レジ装置において会計待ちの顧客が多い状態と検知され、かつ、店員状態検知部４３の検知結果およびレジ装置状態検知部４４の検知結果に基づいて、新たに有人レジ装置６を稼働させることができないものと判断される場合には、有人レジ装置６での会計を待つ顧客に無人レジ装置７の利用を勧める案内を指示する報知を行うものと判定し、新たに有人レジ装置６を稼働させることができるものと判断される場合には、有人レジ装置６の稼働を指示する報知を行うものと判定するようにしており、新たに有人レジ装置６を稼働させることができない場合に、無人レジ装置７の利用を勧める案内を行い、新たに有人レジ装置６を稼働させることができる場合に、その有人レジ装置６を稼働させて会計作業を行うことで、顧客満足度を高めることができる。
【０１３２】
また、本実施形態では、報知判定部４５において、会計待ち状態検知部４１により、会計待ちの顧客が多い状態と検知され、かつ、店内人物状態検知部４２により、店内が混雑している状態と検知され、かつ、店員状態検知部４３により、会計作業に参加可能な店員が存在する状態と検知され、かつ、レジ装置状態検知部４４により、全てのレジ装置６が既に稼働している状態と検知された場合には、レジ装置６での会計作業の応援を指示する報知を行うものと判定するようにしており、新たにレジ装置６を稼働させることができない場合でも、会計作業に参加可能な店員が存在する場合には、会計作業の応援を指示する報知を行って、レジ装置６を操作する店員を補助する補助作業に別の店員を従事させることで、会計所要時間を短縮することができるため、顧客の会計待ちを軽減することができる。
【０１３３】
また、本実施形態では、報知判定部４５において、会計待ち状態検知部４１により、会計待ちの顧客が少ない状態と検知され、かつ、店内人物状態検知部４２により、店内が混雑している状態と検知され、かつ、店員状態検知部４３により、会計作業に参加可能な店員が存在する状態と検知された場合には、会計作業エリアへの集合を指示する報知を行うものと判定するようにしており、会計待ちの顧客が少ない場合でも、店内が混雑している場合には、じきに会計を行う顧客が急増することが予測されるため、会計作業に参加可能な店員がいる場合には、会計作業エリアへの集合を指示する報知を行って、会計作業エリアに待機させることで、会計を行う顧客が急増した場合でも迅速に対応することができる。
【０１３４】
また、本実施形態では、情報蓄積部４７において、報知部４６で行われた報知に関する情報を蓄積し、集計部４８において、情報蓄積部４７に蓄積された情報に基づいて、報知の発生状況に関する集計結果を取得し、画面情報生成部５１において、集計部４８で取得した集計結果に基づいて、報知の発生状況に関する表示情報を生成するようにしたため、過去の報知の発生状況をユーザが簡単に把握することができる。
【０１３５】
また、本実施形態では、情報蓄積部４７において、会計待ち状態検知部４１で取得した検知時刻ごとの会計待ち状態に関する情報、店内人物状態検知部４２で取得した検知時刻ごとの店内人物状態に関する情報、および報知部４６で行われた報知に関する情報を蓄積し、画面情報生成部５１において、情報蓄積部４７に蓄積された情報に基づいて、会計待ち顧客状態の時間的な推移状況、店内人物状態の時間的な推移状況および報知の発生状況を統合した表示情報を生成するようにしたため、会計待ち顧客状態の時間的な推移状況や、店内人物状態の時間的な推移状況と比較しながら、報知がどのようなタイミングで発生したかをユーザが把握することができる。
【０１３６】
以上、本発明を特定の実施形態に基づいて説明したが、これらの実施形態はあくまでも例示であって、本発明はこれらの実施形態によって限定されるものではない。また、上記実施形態に示した本発明に係る会計業務支援装置、会計業務支援システムおよび会計業務支援方法の各構成要素は、必ずしも全てが必須ではなく、少なくとも本発明の範囲を逸脱しない限りにおいて適宜取捨選択することが可能である。
【０１３７】
例えば、本実施形態では、コンビニエンスストアなどの小売店舗の例について説明したが、このような小売店舗に限定されるものではなく、小売店舗以外の業務形態の店舗に適用することも可能である。
【０１３８】
また、本実施形態では、会計待ち状態検知部４１、店内人物状態検知部４２および店員状態検知部４３において別々に人物検出処理を行うようにしたが、カメラ１により店舗内を撮影した映像に基づいて、店舗内に滞在する人物を検出する人物検出部を設け、この人物検出部での検出結果に基づいて、会計待ち状態検知部４１、店内人物状態検知部４２および店員状態検知部４３においてそれぞれ検知処理を行うようにしてもよい。また、この人物検出部で行われる人物検出の機能の一部または全部を、別の装置で構成し、あるいはカメラ１に一体化して人物検出機能付き撮像装置として構成することも可能である。
【０１３９】
また、本実施形態では、会計待ち状態検知部４１および店内人物状態検知部４２において人数（会計待ち人数および店内滞在人数）を計測して、この人数に基づいて報知判定部４５において、会計待ちの顧客が多い状態か否かの判定（会計待ち状態の判定）、および店舗内が混雑した状態か否かの判定（店内人物状態の判定）を行うようにしたが、会計待ち状態検知部４１および店内人物状態検知部４２において、人数を計測せずに、会計待ちエリアの映像や店舗内の映像における人物と想定される物体が存在する領域の割合から、会計待ちエリアや店舗内の滞留レベル（混雑レベル）を取得して、この滞留レベルに基づいて会計待ち状態の判定や店内人物状態の判定を行うようにしてもよい。
【０１４０】
また、本実施形態では、図２０に示したように、店員や店長が所持する携帯型端末５に報知画面を表示させて、店員や店長に対して報知を行う、すなわち報知の出力装置を携帯型端末５としたが、店舗内に設置されたスピーカやランプなどの適宜な出力装置を用いて報知を行うようにしてもよい。
【０１４１】
また、本実施形態では、図１７〜図１９に示したように、会計作業状況表示画面の映像表示部７０に、会計作業エリアや会計待ちエリアの映像を表示するようにしたが、この映像には顧客が映る場合があり、この場合、顧客のプライバシーが保護されるように映像を表示することが望ましい。そこで、例えば、店員以外と認識された人物を消去する処理を施したり、店員以外と認識された人物の顔が映った領域にモザイク処理を施したりするなどして、個人が特定されないようにするとよい。特に、店員以外と認識された人物を消去する処理を行うと、店員のみが映る映像となり、店員の作業の実施状況が把握しやすくなるなどの利点がある。
【０１４２】
また、本実施形態では、会計業務支援に必要な処理を、店舗に設けられたＰＣ３に行わせるようにしたが、この必要な処理を、図１に示したように、本部に設けられたＰＣ１１や、クラウドコンピューティングシステムを構成するクラウドコンピュータ２１に行わせるようにしてもよい。また、必要な処理を複数の情報処理装置で分担し、ＩＰネットワークやＬＡＮなどの通信媒体を介して、複数の情報処理装置の間で情報を受け渡すようにしてもよい。この場合、必要な処理を分担する複数の情報処理装置で会計業務支援システムが構成される。
【０１４３】
このような構成では、会計業務支援に必要な処理のうち、少なくとも演算量が大きな処理、例えば人物検出処理を、店舗に設けられたＰＣ３に行わせるようにするとよい。このように構成すると、残りの処理で必要となる情報のデータ量が少なくて済むため、残りの処理を店舗とは異なる場所に設置された情報処理装置に行わせるようにしても、通信負荷を軽減することができるため、広域ネットワーク接続形態によるシステムの運用が容易になる。
【０１４４】
また、会計業務支援に必要な処理のうち、少なくとも演算量が大きな処理、例えば人物検出処理を、クラウドコンピュータ２１に行わせるようにしてもよい。このように構成すると、残りの処理は演算量が小さくて済むため、店舗などのユーザ側に高速な情報処理装置が不要となり、ユーザが負担するコストを軽減することができる。
【０１４５】
また、クラウドコンピュータ２１に必要な処理の全部を行わせ、あるいは、必要な処理のうちの少なくとも表示情報生成処理をクラウドコンピュータ２１に分担させるようにしてもよく、このように構成すると、店舗や本部に設けられたＰＣ３，１１の他に、携帯型端末（タブレット端末やスマートフォンなど）２２でも、表示情報（会計作業状況表示画面など）を表示することができるようになり、これにより店舗や本部の他に外出先などの任意の場所で会計作業状況を確認することができる。
【０１４６】
また、本実施形態では、店舗に設置されたＰＣ３に会計業務支援に必要な処理を行わせるとともに、ＰＣ３で生成した表示情報（総覧表示画面など）を、このＰＣ３のモニタ４や本部に設置されたＰＣ１１のモニタ１２で閲覧するようにしたが、表示情報の閲覧装置をＰＣ３，１１とは別に設けることも可能であり、例えば、前記のように携帯型端末（タブレット端末やスマートフォンなど）２２を表示情報の閲覧装置とする他に、店舗に設置された販売情報管理装置に表示情報の閲覧装置としての機能を付加することも可能である。また、表示情報をプリンタで出力することも可能である。
【０１４７】
また、本実施形態では、店舗に設置されたＰＣ３に会計業務支援に必要な処理を行わせるとともに、このＰＣ３で設定事項の入力などの必要な入力操作を行うようにしたが、本部に設置されたＰＣ１１で必要な入力操作を行うようにしたり、あるいはＰＣ３，１１とは別の情報処理装置、例えば携帯型端末２２で必要な入力操作を行うようにしたりしてもよい。
【産業上の利用可能性】
【０１４８】
本発明にかかる会計業務支援装置、会計業務支援システムおよび会計業務支援方法は、顧客の会計待ちを軽減する行動を店員に指示する報知を行うにあたり、報知のタイミングの最適化を図り、不要な報知を減らすことができる効果を有し、店舗内を撮影した映像に基づいて、顧客の会計待ちを軽減するように店舗での会計業務を支援する会計業務支援装置、会計業務支援システムおよび会計業務支援方法などとして有用である。
【符号の説明】
【０１４９】
１  カメラ
２  レコーダ
３  ＰＣ（会計業務支援装置）
４  モニタ
５  携帯型端末
６  有人レジ装置
７  無人レジ装置
８  入力デバイス
１１  ＰＣ
１２  モニタ
２１  クラウドコンピュータ
２２  携帯型端末
３１  監視部
３２  会計業務支援部
４１  状態検知部
４２  店内人物状態検知部
４３  店員状態検知部
４４  レジ装置状態検知部
４５  報知判定部
４６  報知部
４７  情報蓄積部
４８  集計部
４９  ＧＵＩ制御部
５１  画面情報生成部
５２  入力情報取得部
【図１】
2015148918.tif 000003
【図２】
2015148918.tif 000004
【図３】
2015148918.tif 000005
【図４】
2015148918.tif 000006
【図５】
2015148918.tif 000007
【図６】
2015148918.tif 000008
【図７】
2015148918.tif 000009
【図８】
2015148918.tif 000010
【図９】
2015148918.tif 000011
【図１０】
2015148918.tif 000012
【図１１】
2015148918.tif 000013
【図１２】
2015148918.tif 000014
【図１３】
2015148918.tif 000015
【図１４】
2015148918.tif 000016
【図１５】
2015148918.tif 000017
【図１６】
2015148918.tif 000018
【図１７】
2015148918.tif 000019
【図１８】
2015148918.tif 000020
【図１９】
2015148918.tif 000021
【図２０】
2015148918.tif 000022
【図２１】
2015148918.tif 000023
【図２２】
2015148918.tif 000024
【図２３】
2015148918.tif 000025
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
店舗内を撮影した映像に基づいて、顧客の会計待ちを軽減するように店舗での会計業務を支援する会計業務支援装置であって、
レジ装置での会計を待つ顧客が滞在する会計待ちエリアを撮影した映像に基づいて、会計を待つ顧客の状態を検知する会計待ち状態検知部と、
店舗内を撮影した映像に基づいて、店舗内に滞在する人物の状態を検知する店内人物状態検知部と、
店舗内を撮影した映像に基づいて、店舗内に滞在する店員の状態を検知する店員状態検知部と、
前記レジ装置の状態を検知するレジ装置状態検知部と、
前記会計待ち状態検知部の検知結果および前記店内人物状態検知部の検知結果に基づいて、顧客の会計待ちを軽減する行動を指示する報知の可否を判定し、可と判定されたとき、前記店員状態検知部の検知結果および前記レジ装置状態検知部の検知結果に基づいて、新たに前記レジ装置を稼働させることができるものと判断される場合には、前記レジ装置の稼働を指示する報知を行うものと判定する報知判定部と、
この報知判定部の判定結果に基づいて、前記報知を行う報知部と、
を備えたことを特徴とする会計業務支援装置。
【請求項２】
前記報知判定部は、
前記会計待ち状態検知部により、会計待ちの顧客が多い状態と検知され、
かつ、前記店内人物状態検知部により、店舗内が混雑していない状態と検知された場合には、
前記報知を行わないものと判定することを特徴とする請求項１に記載の会計業務支援装置。
【請求項３】
店舗内を撮影した映像に基づいて、顧客の会計待ちを軽減するように店舗での会計業務を支援する会計業務支援装置であって、
レジ装置での会計を待つ顧客が滞在する会計待ちエリアを撮影した映像に基づいて、会計を待つ顧客の状態を検知する会計待ち状態検知部と、
店舗内を撮影した映像に基づいて、店舗内に滞在する人物の状態を検知する店内人物状態検知部と、
前記会計待ち状態検知部の検知結果および前記店内人物状態検知部の検知結果に基づいて、顧客の会計待ちを軽減する行動を指示する報知の可否を判定する報知判定部と、
この報知判定部の判定結果に基づいて、前記報知を行う報知部と、
を備え、
前記店舗には、有人レジ装置および無人レジ装置が設置され、
前記報知判定部は、
前記会計待ち状態検知部により、前記有人レジ装置において会計待ちの顧客が多い状態と検知された場合には、
前記有人レジ装置での会計を待つ顧客に前記無人レジ装置の利用を勧める案内を指示する報知を行うものと判定することを特徴とする会計業務支援装置。
【請求項４】
店舗内を撮影した映像に基づいて、店舗内に滞在する店員の状態を検知する店員状態検知部と、
少なくとも前記有人レジ装置の状態を検知するレジ装置状態検知部と、
をさらに備え、
前記報知判定部は、
前記会計待ち状態検知部により、前記有人レジ装置において会計待ちの顧客が多い状態と検知され、
かつ、前記店員状態検知部の検知結果および前記レジ装置状態検知部の検知結果に基づいて、新たに前記有人レジ装置を稼働させることができないものと判断される場合には、
前記有人レジ装置での会計を待つ顧客に前記無人レジ装置の利用を勧める案内を指示する報知を行うものと判定し、
新たに前記有人レジ装置を稼働させることができるものと判断される場合には、
前記有人レジ装置の稼働を指示する報知を行うものと判定することを特徴とする請求項３に記載の会計業務支援装置。
【請求項５】
店舗内を撮影した映像に基づいて、顧客の会計待ちを軽減するように店舗での会計業務を支援する会計業務支援装置であって、
レジ装置での会計を待つ顧客が滞在する会計待ちエリアを撮影した映像に基づいて、会計を待つ顧客の状態を検知する会計待ち状態検知部と、
店舗内を撮影した映像に基づいて、店舗内に滞在する人物の状態を検知する店内人物状態検知部と、
店舗内を撮影した映像に基づいて、店舗内に滞在する店員の状態を検知する店員状態検知部と、
前記レジ装置の状態を検知するレジ装置状態検知部と、
前記会計待ち状態検知部の検知結果および前記店内人物状態検知部の検知結果に基づいて、顧客の会計待ちを軽減する行動を指示する報知の可否を判定する報知判定部と、
この報知判定部の判定結果に基づいて、前記報知を行う報知部と、
を備え、
前記報知判定部は、
前記会計待ち状態検知部により、会計待ちの顧客が多い状態と検知され、
かつ、前記店内人物状態検知部により、店内が混雑している状態と検知され、
かつ、前記店員状態検知部により、会計作業に参加可能な店員が存在する状態と検知され、
かつ、前記レジ装置状態検知部により、全ての前記レジ装置が既に稼働している状態と検知された場合には、
前記レジ装置での会計作業の応援を指示する報知を行うものと判定することを特徴とする会計業務支援装置。
【請求項６】
店舗内を撮影した映像に基づいて、顧客の会計待ちを軽減するように店舗での会計業務を支援する会計業務支援装置であって、
レジ装置での会計を待つ顧客が滞在する会計待ちエリアを撮影した映像に基づいて、会計を待つ顧客の状態を検知する会計待ち状態検知部と、
店舗内を撮影した映像に基づいて、店舗内に滞在する人物の状態を検知する店内人物状態検知部と、
店舗内を撮影した映像に基づいて、店舗内に滞在する店員の状態を検知する店員状態検知部と、
前記会計待ち状態検知部の検知結果および前記店内人物状態検知部の検知結果に基づいて、顧客の会計待ちを軽減する行動を指示する報知の可否を判定する報知判定部と、
この報知判定部の判定結果に基づいて、前記報知を行う報知部と、
を備え、
前記報知判定部は、
前記会計待ち状態検知部により、会計待ちの顧客が少ない状態と検知され、
かつ、前記店内人物状態検知部により、店内が混雑している状態と検知され、
かつ、前記店員状態検知部により、会計作業に参加可能な店員が存在する状態と検知された場合には、
店員が会計作業を行う会計作業エリアへの集合を指示する報知を行うものと判定することを特徴とする会計業務支援装置。
【請求項７】
前記報知部で行われた前記報知に関する情報を蓄積する情報蓄積部と、
この情報蓄積部に蓄積された情報に基づいて、前記報知の発生状況に関する集計結果を取得する集計部と、
この集計部で取得した前記集計結果に基づいて、前記報知の発生状況に関する表示情報を生成する表示情報生成部と、
をさらに備えたことを特徴とする請求項１から請求項６のいずれかに記載の会計業務支援装置。
【請求項８】
前記会計待ち状態検知部で取得した検知時刻ごとの会計待ち状態に関する情報、前記店内人物状態検知部で取得した検知時刻ごとの店内人物状態に関する情報、および前記報知部で行われた前記報知に関する情報を蓄積する情報蓄積部と、
この情報蓄積部に蓄積された情報に基づいて、前記会計待ち顧客状態の時間的な推移状況、前記店内人物状態の時間的な推移状況および前記報知の発生状況を統合した表示情報を生成する表示情報生成部と、
をさらに備えたことを特徴とする請求項１から請求項７のいずれかに記載の会計業務支援装置。
【請求項９】
店舗内を撮影した映像に基づいて、顧客の会計待ちを軽減するように店舗での会計業務を支援する会計業務支援システムであって、
店舗内を撮影するカメラと、
複数の情報処理装置と、
を有し、
前記複数の情報処理装置のいずれかが、
レジ装置での会計を待つ顧客が滞在する会計待ちエリアを撮影した映像に基づいて、会計を待つ顧客の状態を検知する会計待ち状態検知部と、
店舗内を撮影した映像に基づいて、店舗内に滞在する人物の状態を検知する店内人物状態検知部と、
店舗内を撮影した映像に基づいて、店舗内に滞在する店員の状態を検知する店員状態検知部と、
前記レジ装置の状態を検知するレジ装置状態検知部と、
前記会計待ち状態検知部の検知結果および前記店内人物状態検知部の検知結果に基づいて、顧客の会計待ちを軽減する行動を指示する報知の可否を判定し、可と判定されたとき、前記店員状態検知部の検知結果および前記レジ装置状態検知部の検知結果に基づいて、新たに前記レジ装置を稼働させることができるものと判断される場合には、前記レジ装置の稼働を指示する報知を行うものと判定する報知判定部と、
この報知判定部の判定結果に基づいて、前記報知を行う報知部と、
を備えたことを特徴とする会計業務支援システム。
【請求項１０】
店舗内を撮影した映像に基づいて、顧客の会計待ちを軽減するように店舗での会計業務を支援する処理を情報処理装置に行わせる会計業務支援方法であって、
レジ装置での会計を待つ顧客が滞在する会計待ちエリアを撮影した映像に基づいて、会計を待つ顧客の状態を検知するステップと、
店舗内を撮影した映像に基づいて、店舗内に滞在する人物の状態を検知するステップと、
店舗内を撮影した映像に基づいて、店舗内に滞在する店員の状態を検知するステップと、
前記レジ装置の状態を検知するステップと、
前記会計を待つ顧客の状態を検知するステップの検知結果および前記店舗内に滞在する人物の状態を検知するステップの検知結果に基づいて、顧客の会計待ちを軽減する行動を指示する報知の可否を判定し、可と判定されたとき、前記店員の状態を検知するステップおよび前記レジ装置の状態を検知するステップの検知結果に基づいて、新たに前記レジ装置を稼働させることができるものと判断される場合には、前記レジ装置の稼働を指示する報知を行うものと判定するステップと、
このステップの判定結果に基づいて、前記報知を行うステップと、
を有することを特徴とする会計業務支援方法。
【手続補正２】
【補正対象書類名】明細書
【補正対象項目名】０００８
【補正方法】変更
【補正の内容】
【０００８】
本発明の会計業務支援装置は、店舗内を撮影した映像に基づいて、顧客の会計待ちを軽減するように店舗での会計業務を支援する会計業務支援装置であって、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、店舗内を撮影した映像に基づいて、店舗内に滞在する店員の状態を検知する店員状態検知部と、前記レジ装置の状態を検知するレジ装置状態検知部と、前記会計待ち状態検知部の検知結果および前記店内人物状態検知部の検知結果に基づいて、顧客の会計待ちを軽減する行動を指示する報知の可否を判定し、可と判定されたとき、前記店員状態検知部の検知結果および前記レジ装置状態検知部の検知結果に基づいて、新たに前記レジ装置を稼働させることができるものと判断される場合には、前記レジ装置の稼働を指示する報知を行うものと判定する報知判定部と、この報知判定部の判定結果に基づいて、前記報知を行う報知部と、を備えた構成とする。
【手続補正３】
【補正対象書類名】明細書
【補正対象項目名】０００９
【補正方法】変更
【補正の内容】
【０００９】
また、本発明の会計業務支援システムは、店舗内を撮影した映像に基づいて、顧客の会計待ちを軽減するように店舗での会計業務を支援する会計業務支援システムであって、店舗内を撮影するカメラと、複数の情報処理装置と、を有し、前記複数の情報処理装置のいずれかが、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、店舗内を撮影した映像に基づいて、店舗内に滞在する店員の状態を検知する店員状態検知部と、前記レジ装置の状態を検知するレジ装置状態検知部と、前記会計待ち状態検知部の検知結果および前記店内人物状態検知部の検知結果に基づいて、顧客の会計待ちを軽減する行動を指示する報知の可否を判定し、可と判定されたとき、前記店員状態検知部の検知結果および前記レジ装置状態検知部の検知結果に基づいて、新たに前記レジ装置を稼働させることができるものと判断される場合には、前記レジ装置の稼働を指示する報知を行うものと判定する報知判定部と、この報知判定部の判定結果に基づいて、前記報知を行う報知部と、を備えた構成とする。
【手続補正４】
【補正対象書類名】明細書
【補正対象項目名】００１０
【補正方法】変更
【補正の内容】
【００１０】
また、本発明の会計業務支援方法は、店舗内を撮影した映像に基づいて、顧客の会計待ちを軽減するように店舗での会計業務を支援する処理を情報処理装置に行わせる会計業務支援方法であって、レジ装置での会計を待つ顧客が滞在する会計待ちエリアを撮影した映像に基づいて、会計を待つ顧客の状態を検知するステップと、店舗内を撮影した映像に基づいて、店舗内に滞在する人物の状態を検知するステップと、店舗内を撮影した映像に基づいて、店舗内に滞在する店員の状態を検知するステップと、前記レジ装置の状態を検知するステップと、前記会計を待つ顧客の状態を検知するステップの検知結果および前記店舗内に滞在する人物の状態を検知するステップの検知結果に基づいて、顧客の会計待ちを軽減する行動を指示する報知の可否を判定し、可と判定されたとき、前記店員の状態を検知するステップおよび前記レジ装置の状態を検知するステップの検知結果に基づいて、新たに前記レジ装置を稼働させることができるものと判断される場合には、前記レジ装置の稼働を指示する報知を行うものと判定するステップと、このステップの判定結果に基づいて、前記報知を行うステップと、を有する構成とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
前記課題を解決するためになされた第１の発明は、店舗内を撮影した映像に基づいて、顧客の会計待ちを軽減するように店舗での会計業務を支援する会計業務支援装置であって、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、店舗内を撮影した映像に基づいて、店舗内に滞在する店員の状態を検知する店員状態検知部と、前記レジ装置の状態を検知するレジ装置状態検知部と、前記会計待ち状態検知部の検知結果および前記店内人物状態検知部の検知結果に基づいて、顧客の会計待ちを軽減する行動を指示する報知の可否を判定し、可と判定されたとき、前記店員状態検知部の検知結果および前記レジ装置状態検知部の検知結果に基づいて、新たに前記レジ装置を稼働させることができるものと判断される場合には、前記レジ装置の稼働を指示する報知を行うものと判定する報知判定部と、この報知判定部の判定結果に基づいて、前記報知を行う報知部と、を備えた構成とする。
【手続補正８】
【補正対象書類名】明細書
【補正対象項目名】００１６
【補正方法】変更
【補正の内容】
【００１６】
これによると、会計を待つ顧客の状態を映像から検知するとともに、店舗内に滞在する人物の状態を映像から検知して、会計を待つ顧客の状態と店舗内に滞在する人物の状態との双方を考慮して、顧客の会計待ちを軽減する行動を店員に指示する報知の可否を判定するため、報知のタイミングの最適化を図り、不要な報知を減らすことができる。さらに、新たにレジ装置を稼働させることができない場合に、レジ装置の稼働を指示する報知を行っても、店員に無駄な行動を行わせるだけであり、新たにレジ装置を稼働させることができる場合に、レジ装置の稼働を指示する報知を行うようにすることで、店員に無駄な行動を行わせることを避けることができる。
【手続補正９】
【補正対象書類名】明細書
【補正対象項目名】００１８
【補正方法】変更
【補正の内容】
【００１８】
また、第２の発明は、前記報知判定部は、前記会計待ち状態検知部により、会計待ちの顧客が多い状態と検知され、かつ、前記店内人物状態検知部により、店舗内が混雑していない状態と検知された場合には、前記報知を行わないものと判定する構成とする。
【手続補正１０】
【補正対象書類名】明細書
【補正対象項目名】００２０
【補正方法】変更
【補正の内容】
【００２０】
また、第３の発明は、店舗内を撮影した映像に基づいて、顧客の会計待ちを軽減するように店舗での会計業務を支援する会計業務支援装置であって、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、前記会計待ち状態検知部の検知結果および前記店内人物状態検知部の検知結果に基づいて、顧客の会計待ちを軽減する行動を指示する報知の可否を判定する報知判定部と、この報知判定部の判定結果に基づいて、前記報知を行う報知部と、を備え、前記店舗には、有人レジ装置および無人レジ装置が設置され、前記報知判定部は、前記会計待ち状態検知部により、前記有人レジ装置において会計待ちの顧客が多い状態と検知された場合には、前記有人レジ装置での会計を待つ顧客に前記無人レジ装置の利用を勧める案内を指示する報知を行うものと判定する構成とする。
【手続補正１１】
【補正対象書類名】明細書
【補正対象項目名】００２２
【補正方法】変更
【補正の内容】
【００２２】
また、第４の発明は、店舗内を撮影した映像に基づいて、店舗内に滞在する店員の状態を検知する店員状態検知部と、少なくとも前記有人レジ装置の状態を検知するレジ装置状態検知部と、をさらに備え、前記報知判定部は、前記会計待ち状態検知部により、前記有人レジ装置において会計待ちの顧客が多い状態と検知され、かつ、前記店員状態検知部の検知結果および前記レジ装置状態検知部の検知結果に基づいて、新たに前記有人レジ装置を稼働させることができないものと判断される場合には、前記有人レジ装置での会計を待つ顧客に前記無人レジ装置の利用を勧める案内を指示する報知を行うものと判定し、新たに前記有人レジ装置を稼働させることができるものと判断される場合には、前記有人レジ装置の稼働を指示する報知を行うものと判定する構成とする。
【手続補正１２】
【補正対象書類名】明細書
【補正対象項目名】００２４
【補正方法】変更
【補正の内容】
【００２４】
また、第５の発明は、店舗内を撮影した映像に基づいて、顧客の会計待ちを軽減するように店舗での会計業務を支援する会計業務支援装置であって、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、店舗内を撮影した映像に基づいて、店舗内に滞在する店員の状態を検知する店員状態検知部と、前記レジ装置の状態を検知するレジ装置状態検知部と、前記会計待ち状態検知部の検知結果および前記店内人物状態検知部の検知結果に基づいて、顧客の会計待ちを軽減する行動を指示する報知の可否を判定する報知判定部と、この報知判定部の判定結果に基づいて、前記報知を行う報知部と、を備え、前記報知判定部は、前記会計待ち状態検知部により、会計待ちの顧客が多い状態と検知され、かつ、前記店内人物状態検知部により、店内が混雑している状態と検知され、かつ、前記店員状態検知部により、会計作業に参加可能な店員が存在する状態と検知され、かつ、前記レジ装置状態検知部により、全ての前記レジ装置が既に稼働している状態と検知された場合には、前記レジ装置での会計作業の応援を指示する報知を行うものと判定する構成とする。
【手続補正１３】
【補正対象書類名】明細書
【補正対象項目名】００２６
【補正方法】変更
【補正の内容】
【００２６】
また、第６の発明は、店舗内を撮影した映像に基づいて、顧客の会計待ちを軽減するように店舗での会計業務を支援する会計業務支援装置であって、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、店舗内を撮影した映像に基づいて、店舗内に滞在する店員の状態を検知する店員状態検知部と、前記会計待ち状態検知部の検知結果および前記店内人物状態検知部の検知結果に基づいて、顧客の会計待ちを軽減する行動を指示する報知の可否を判定する報知判定部と、この報知判定部の判定結果に基づいて、前記報知を行う報知部と、を備え、前記報知判定部は、前記会計待ち状態検知部により、会計待ちの顧客が少ない状態と検知され、かつ、前記店内人物状態検知部により、店内が混雑している状態と検知され、かつ、前記店員状態検知部により、会計作業に参加可能な店員が存在する状態と検知された場合には、店員が会計作業を行う会計作業エリアへの集合を指示する報知を行うものと判定する構成とする。
【手続補正１４】
【補正対象書類名】明細書
【補正対象項目名】００２８
【補正方法】変更
【補正の内容】
【００２８】
また、第７の発明は、前記報知部で行われた前記報知に関する情報を蓄積する情報蓄積部と、この情報蓄積部に蓄積された情報に基づいて、前記報知の発生状況に関する集計結果を取得する集計部と、この集計部で取得した前記集計結果に基づいて、前記報知の発生状況に関する表示情報を生成する表示情報生成部と、をさらに備えた構成とする。
【手続補正１５】
【補正対象書類名】明細書
【補正対象項目名】００３０
【補正方法】変更
【補正の内容】
【００３０】
また、第８の発明は、前記会計待ち状態検知部で取得した検知時刻ごとの会計待ち状態に関する情報、前記店内人物状態検知部で取得した検知時刻ごとの店内人物状態に関する情報、および前記報知部で行われた前記報知に関する情報を蓄積する情報蓄積部と、この情報蓄積部に蓄積された情報に基づいて、前記会計待ち顧客状態の時間的な推移状況、前記店内人物状態の時間的な推移状況および前記報知の発生状況を統合した表示情報を生成する表示情報生成部と、をさらに備えた構成とする。
【手続補正１６】
【補正対象書類名】明細書
【補正対象項目名】００３２
【補正方法】変更
【補正の内容】
【００３２】
また、第９の発明は、店舗内を撮影した映像に基づいて、顧客の会計待ちを軽減するように店舗での会計業務を支援する会計業務支援システムであって、店舗内を撮影するカメラと、複数の情報処理装置と、を有し、前記複数の情報処理装置のいずれかが、レジ装置での会計を待つ顧客が滞在する会計待ちエリアを撮影した映像に基づいて、会計を待つ顧客の状態を検知する会計待ち状態検知部と、店舗内を撮影した映像に基づいて、店舗内に滞在する人物の状態を検知する店内人物状態検知部と、店舗内を撮影した映像に基づいて、店舗内に滞在する店員の状態を検知する店員状態検知部と、前記レジ装置の状態を検知するレジ装置状態検知部と、前記会計待ち状態検知部の検知結果および前記店内人物状態検知部の検知結果に基づいて、顧客の会計待ちを軽減する行動を指示する報知の可否を判定し、可と判定されたとき、前記店員状態検知部の検知結果および前記レジ装置状態検知部の検知結果に基づいて、新たに前記レジ装置を稼働させることができるものと判断される場合には、前記レジ装置の稼働を指示する報知を行うものと判定する報知判定部と、この報知判定部の判定結果に基づいて、前記報知を行う報知部と、を備えた構成とする。
【手続補正１７】
【補正対象書類名】明細書
【補正対象項目名】００３４
【補正方法】変更
【補正の内容】
【００３４】
また、第１０の発明は、店舗内を撮影した映像に基づいて、顧客の会計待ちを軽減するように店舗での会計業務を支援する処理を情報処理装置に行わせる会計業務支援方法であって、レジ装置での会計を待つ顧客が滞在する会計待ちエリアを撮影した映像に基づいて、会計を待つ顧客の状態を検知するステップと、店舗内を撮影した映像に基づいて、店舗内に滞在する人物の状態を検知するステップと、店舗内を撮影した映像に基づいて、店舗内に滞在する店員の状態を検知するステップと、前記レジ装置の状態を検知するステップと、前記会計を待つ顧客の状態を検知するステップの検知結果および前記店舗内に滞在する人物の状態を検知するステップの検知結果に基づいて、顧客の会計待ちを軽減する行動を指示する報知の可否を判定し、可と判定されたとき、前記店員の状態を検知するステップおよび前記レジ装置の状態を検知するステップの検知結果に基づいて、新たに前記レジ装置を稼働させることができるものと判断される場合には、前記レジ装置の稼働を指示する報知を行うものと判定するステップと、このステップの判定結果に基づいて、前記報知を行うステップと、を有する構成とする。